(57)【要約】【課題】  装着中の動きに対して、剥がれにくく、さらに外観上の見栄えも良いパンツ型吸収性物品を提供する。【解決手段】  ウエスト開口部９および１対のレッグ開口部１０を有する使い捨てパンツにおいて、使い捨てパンツの両側は引き裂き可能に結合されており、かつ、前記パンツの両側部のウエスト開口部９近傍およびレッグ開口部１０近傍の外表面に、前記パンツの他の外表面と着脱自在で、ウエスト開口サイズまたはレッグ開口サイズを調節可能な締結手段１１を設けたことを特徴とする使い捨てパンツ【選択図】図１
2008142357.tif 000002
【特許請求の範囲】
【請求項１】
ウエスト開口部および１対のレッグ開口部を有する使い捨てパンツにおいて、使い捨てパンツの両側は引き裂き可能に結合されており、かつ、前記パンツの両側部のウエスト開口部近傍およびレッグ開口部近傍の外表面に、前記パンツの他の外表面と着脱自在で、ウエスト開口サイズまたはレッグ開口サイズを調節可能な締結手段を設けたことを特徴とする使い捨てパンツ。
【請求項２】
排泄物を吸収可能な吸収体を備えていることを特徴とする、請求項１記載の使い捨てパンツ。
【請求項３】
前記締結手段がメカニカルファスナーのオス材であり、前記パンツの他の外表面はメカニカルファスナーのオス材と係合可能な不織布で形成されていることを特徴とする、請求項１または２記載の使い捨てパンツ。
【請求項４】
前記ウエスト開口部には弾性部材が配置されており、前記締結手段の少なくとも一部が、前記弾性部材が配置されている位置の外表面に設けられていることを特徴とする、請求項１〜３のいずれか１項に記載の使い捨てパンツ。
【請求項５】
前記使い捨てパンツにおいて、サイド接合部が５〜１５Ｎ／３０ｍｍの接着力で接合されていることを特徴とする、請求項１〜４のいずれか１項に記載の使い捨てパンツ。
【発明の詳細な説明】
【技術分野】
【０００１】
本発明は使い捨てパンツに関し、特に、装着中に接合部が剥がれにくく、且つウエスト開口サイズ及びそれぞれ独立に調整することができる使い捨てパンツに関する。
【背景技術】
【０００２】
従来、ウエスト開口部および１対のレッグ開口部を有するパンツ型おむつなどの使い捨てパンツは、通常、パンツの前身頃と後身頃との両側部をシールして、ウエスト開口部及び一対のレッグ開口部を形成するため、パンツの両側部には、少なくとも外層部同士が接合されることによって形成されたフランジ（突縁）部が左右両側に突出して形成されることになる。
【０００３】
しかし、このような使い捨てパンツでは、突出したフランジ部があると、それが使用中に引っかかってその部分を基点に接合外層部の剥がれが生じてしまう場合があった。また、赤ちゃんや大人の認知症の装着者がその突出部分をつまんで引き剥がしてしまうことがあった。そこで、使用者が引き剥がせないように接合外層部を強固に接合することが考えられるが、その接合外層部は非常に硬いものとなり、使用中に肌に傷をつけたり、廃棄時に接合外層部を引き裂くことができなくなるという問題があった。
また、フランジが両側にあると見栄えが悪くて下着らしさがなく、とりわけ大人用おむつでは、フランジ部の存在が装着者に心理的負担を強いるものとなってしまうという問題があった。
【０００４】
これに対し、特許文献１には、例えば、パンツ型おむつのような使いすて物品の両端をループ状に形成し、バリヤー部材を用いて分離可能に接着たフランジレスシームが記載されている。このフランジレスシームを用いた接合部は、出っ張りがなく、見た目がよいものであるが、端部をループ状に折り曲げる加工を要するなど複雑な加工工程を必要とするものであった。また、バリヤー部材の一部は装着者の肌に触れてしまう可能性があるため、肌にやさしい素材を用いたとしても装着者に不快感を生じさせるおそれがあった。
【０００５】
また、特許文献２には、腹側部及び背側部に締結部が表面シートの表面上に設けられ、背側部の両側縁部のみに、ウエスト部の長さを調節するウエスト部調節部材が設けられた使い捨ておむつが記載され、締結部の形成材料としては、メカニカルホックテープ等が挙げられている。また、ウエスト部調節部材は、表面が剥離処理されてなるリリース部と、該リリース部に連設された表面に粘着剤が塗布されている止着部とからなることが記載されている。このおむつは、使用時においては、止着部をおむつの腹側部に設けられたランディングテープに止着し、ウエスト部のサイズを、着用者に装着した後においても、容易に調節することができるものである。
しかし、特許文献２記載の使い捨ておむつは、展開型のおむつであって、上記の締結部を破ったあとはパンツとして使用できるものではなかった。また、近年、ウエスト部だけでなく、レッグ部の開口サイズも調整することが求められるようになってきた。また、これらのウエスト部およびレッグ部のサイズ調整がより簡単な加工により設けられた手段により行うことが求められるようになってきた。
【特許文献１】特表平１１−５１３２９５号公報
【特許文献２】特許第３４２９３８３号公報
【発明の開示】
【発明が解決しようとする課題】
【０００６】
そこで本発明は、複雑な工程を必要とせずに製造可能で、装着中の動きに対して剥がれにくく、かつ、ウエスト部およびレッグ部のサイズ調整が着用後においても容易に行うことができる使い捨てパンツを提供することを目的とする。さらには、上述の外観上の見栄えの問題を解決し、使用後は容易に廃棄することのできる使い捨てパンツを提供することを目的とする。
【課題を解決するための手段】
【０００７】
本発明は、ウエスト開口部および１対のレッグ開口部を有する使い捨てパンツにおいて、使い捨てパンツの両側は引き裂き可能に結合されており、かつ、前記パンツの両側部のウエスト開口部近傍およびレッグ開口部近傍の外表面に、前記パンツの他の外表面と着脱自在で、ウエスト開口サイズまたはレッグ開口サイズを調節可能な締結手段を設けたことを特徴とする使い捨てパンツにより前記目的を達成したものである。
【発明の効果】
【０００８】
本発明の使い捨てパンツは、接合部を含む突縁状接合部を折り返して締結できるので、突縁部は残らず、装着者が接合部をつかむことができず、接合部の剥がれや裂けなどを防止し、安定使用ができる。また、介護者等が、装着者のウエスト回りのサイズおよび足回りのサイズ及びそれらの変化に合わせて、サイド部を折り返すという簡単な作業のみで、自由に開口サイズを調節でき、ウエスト部及びレッグ部のフィット性をより向上させることができる。
また、突縁部の存在を感じさせないことで、下着らしい外観を保持することができ、この点で、特に大人用パンツおむつとして好適である。
【０００９】
さらに、本発明の使い捨てパンツを使い捨ておむつとして用いると、従来の廃棄テープの代替品として、他の外表面と着脱自在な締結手段を用いることができ、廃棄テープを別途用いなくとも、その使用後、おむつを長手方向に巻くようにして丸められ、締結手段により固定されて廃棄される。従って、おむつは、その廃棄処理が容易で、しかも、排泄物を、丸めたパンツ内に閉じ込めて裏面シートで覆うことができるので、衛生的に処理することができる。
【００１０】
また、サイド接合部のシール強度を下げることが可能となり、廃棄時に容易に破くことができる。また、接合部が肌に当たらないため、肌にやさしいものとなる。
【発明を実施するための最良の形態】
【００１１】
以下、本発明の好ましい実施形態を図面を参照して説明する。
本発明の一実施形態としての使い捨てパンツは、図１に示すようなパンツ型おむつである。図１は、パンツ型おむつ１が装着されたときの当該パンツ型おむつ１の背側の構造を概略的に示す斜視図である。
【００１２】
図示のように、パンツ型おむつ１の本体は、装着者（図示しない）の体表面に当てられる表面シート２と、装着時に外表面となる裏面シート３と、裏面シート３の内側面上に固定されて表面シート２によって覆われている吸収体４とを有している。少なくとも裏面シート３を含む腹側部５の領域と背側部６の領域とが、身幅方向の左右両側縁で互いに熱融着などにより接合し、突縁状のサイド接合部８をおむつ本体両側部に形成し、これによって、おむつ本体は、装着者の胴が通されるウエスト開口部９と、装着者の下肢が通される左右１対のレッグ開口部１０とを有するパンツ形状に成形されている。また、図１で、ウエスト開口部９で囲まれた範囲の大きさがウエスト開口サイズであり、レッグ開口部１０で囲まれた範囲の大きさがレッグ開口サイズである。
【００１３】
また、パンツ型おむつ１の部６側の両側部のウエスト開口部９近傍およびレッグ開口部１０近傍の外表面には、前記パンツ型おむつ１の他の外表面と着脱自在な締結手段１１が計４箇所設けられている。
【００１４】
図２は、図１に示すパンツ型おむつ１の外側（外装側）を上にし、展開且つ伸長状態における外形形状説明する平面図であり、符号は図１に示すものと同じものを意味する。なお、図２では、説明のために、表面に露出していない吸収体４、ウエスト弾性部材１３、レッグ弾性部材１４を破線により示してある。
【００１５】
上記の表面シート２は、排泄物を吸収体４へ透過させる液透過性のシートであり、肌着に近い感触を有したものが好ましく、このような液透過性シートとしては、例えば、織布、不織布、多孔性フィルム等が好ましく挙げられる。また、表面シート２の周縁にシリコン系油剤、パラフィンワックス等の疎水性化合物を塗布し、撥水処理を施す。
【００１６】
裏面シート３は、液不透過性のシートであって、例えば、フィルムと不織布との複合材からなり、吸収体４が固着される側から順に、透湿性バックシート、内層不織布、および外層不織布を常法により接合することによって形成することができる。
この透湿性バックシートは防漏シートとも言われ、液不透過性を有しているもので、吸収材体４の外側には、排泄物の漏出を防止するために配置され、例えば、熱可塑性樹脂にフィラーを加えて延伸した蒸気を透過させる透湿性のある液不透過性シートが好ましく用いられる。
また、内層不織布及び外層不織布としては、液不透過性または撥水性の不織布が用いられる。
【００１７】
吸収体４は、表面シート２を透過した排泄物を吸収し、保持するものであり、例えば、解繊パルプを主材とした高分子吸水ポリマーを併用したものが好ましく、また熱可塑性樹脂、セルロース繊維、高分子吸水ポリマーの混合物に熱処理したものが好ましい。該高分子吸水ポリマーは、上記吸収体４の上層、中層、下層のいずれに存在させてもよく、例えば、デンプン−アクリル酸（塩）グラフト共重合体、デンプン−アクリロニトリル共重合体のケン化物、ナトリウムカルボキシメチルセルロースの架橋物、アクリル酸（塩）重
合体などが好ましく挙げられる。
吸収体４の側面及び上面は、必要に応じて、例えば紙、不織布、開孔フィルム等の１種または複数種で覆われる。
吸収体４は、裏面シート３に固着された状態で、表面シート２と裏面シート３との間に介在している。
【００１８】
上記サイド接合部８は、縦方向に容易に引き裂くことができるようになっていることが好ましく、これにより着用者の肌を汚すことなく、接合部において使い捨ておむつを容易に引き裂くことができ、使い捨ておむつを簡単に脱いで廃棄することができる。上記接合部８は、例えば、ヒートシール、あるいはホットメルト型の粘着剤を用いる等して、上記前身頃５と後の後身頃６とをそれぞれの左右で接合し、形成することが好ましい。
【００１９】
このパンツ型おむつ１は、装着者の腰部に対しては、フィット性を高めるために、ウエスト開口部９の周囲には複数のウエスト弾性部材１３がウエスト周り全周に亘って環状に配されて、ウエストギャザーを形成している。そして、装着者の鼠けい部から大腿部にかけてのフィット性を高めるために、レッグ開口部１０の周囲には複数のレッグ弾性部材１４が環状もしくは略環状に配されて、レッグギャザーを形成している。これらの弾性部材１３、１４はいずれも、前述した内層不織布と外層不織布との間に配置されている。上記弾性部材は、糸ゴム、平ゴム、フィルムタイプのゴムあるいはフィルム状の発泡ポリウレタン等が好ましく挙げられる。
【００２０】
また、おむつ本体の腹側部５と背側部６とにおいて、吸収体４の長手方向両端縁には、ここから外方に延出する一対のウエストフラップと、上記吸収体４の両側縁から幅方向外方に延出する、腹側部と背側部の左右一対のサイドフラップが配置されている。各フラップにはサイド弾性部材１５が配置されている。このため、ウエストフラップおよびサイドフラップは伸縮性を有している。サイド弾性部材は、糸ゴムが好ましく用いられ、内層不織布と外層不織布との間に配置されている。
【００２１】
パンツ型おむつ１は装着した際には、サイド接合部８近傍を折り返してパンツ１の本体を折り返し、締結手段１１と締結可能な裏面シートもしくは締結可能な部材を別途搭載した裏面シートと、締結手段１１とを剥離可能に接合する。このことにより、接合部１１が肌に当たらないため、肌にやさしいものとなる。また、おむつ着用時にサイド接合部８に直接力がかからないので、サイド接合部８自体が弱い接合であっても、着用時に破れにくいものとなる。このため、サイド接合部１１のシール強度を下げることが可能となり、廃棄時に容易に破くことができる。また、本発明の上記のサイド接合部８の接着力（シール強度）は５〜１５Ｎ／３０ｍｍであることが好ましく、８〜１２Ｎ／３０ｍｍがさらに好ましい。これらの接着力は、従来の使い捨てパンツのサイド部のシール強度の１５Ｎ／３０ｍｍより低い強度である。
【００２２】
ここで、サイド接合部８のシール強度は次のような測定法で測定することができる。両サイド接合部のウエスト開口部から２５ｍｍの地点、レッグ開口部から２５ｍｍの地点、及びウエスト開口部とレッグ開口部の中間点を中心に、それぞれ縦（身丈方向）３０ｍｍ、横（身幅方向）５０ｍｍのサンプルを切り出す。チャック間５０ｍｍの引張試験機を用いて、サンプルのシール部分を引き剥がし、サンプルの最大引張荷重を測定する。測定は上記の３箇所のサンプルについて行い、その平均値をシール強度とする。
【００２３】
締結手段１１を有する折り返し部は、左右に２箇所（ウエスト部、レッグ部）ずつ、計４箇所存在する。これにより、ウエスト開口サイズ、レッグ開口サイズともにそれぞれ独立に調節可能で、例えば、レッグ部をぴったりフィットさせる一方、ウエスト部の腹側をゆったりさせるようにサイズ調整することができる。
締結手段１１はサイド接合部８から見て腹側にあっても、背側にあっても良いが、背側にあると、例えば、着用者が認知症の人である場合に、はずしにくいので好ましい。
【００２４】
締結手段１１は接合部８の表面に接して設けても良いし、接合部８には接しない位置に設けても良い。締結手段が設けられる両側部の範囲は特に限定されるものではないが、サイド接合部８の接合領域の基部から１０ｍｍ以下であることが好ましい。
また、１箇所の締結手段１１の大きさも特に限定されるものではないが、サイズ調整のしやすさやコスト面から小さい方が好ましく、それぞれ縦（身丈方向）１０〜１００ｍｍ、横（身幅方向）１０〜１００ｍｍがより好ましく、縦（身丈方向）１０〜５０ｍｍ、横（身幅方向）１０〜５０ｍｍが更に好ましい。
パンツの他の外表面と締結手段１１との固定強度（剥離力）は着脱自在な強度であれば特に限定されるものではないが２〜４０Ｎ/３０ｍｍが好まし好ましく、特に５〜１０Ｎ/３０ｍｍがより好ましい。
【００２５】
上記の締結手段１１と、該締結手段１１と締結可能な裏面シート３もしくは締結可能な部材を別途搭載した裏面シート３との固定強度の測定方法の一例を、図８の説明図を参照して説明する。図８（ａ）はパンツ型おむつ１の概略正面図である。おむつ１の幅方向で、締結手段１１を全て含み、かつ、長さ１０ｍｍの掴み代部分３２を足した試験片をおむつ本体部分から切り出す。すなわち、おむつ１の縦方向で３０ｍｍ幅×おむつ１の幅方向で４０ｍｍ長さの固定強度測定用の試験片を採取する。図８（ｂ）は当該試験片を拡大して示す断面図である。次に、上記試験片と同寸法（縦方向で３０ｍｍ幅×幅方向で４０ｍｍ長さ）の本体被固定部の裏面シート３を切り出し、切り出された裏面シート３を図８（ｃ）の断面図に示すように、上記試験片に重ねる。裏面シート３は、吸収体を含まない外表面のメカニカルファスナーのオス材と係合可能な不織布、つまり製品から吸収体を除いた外表面不織布（このとき切り出す場所は規定しない。すなわち、それに相当するところ全面）から切り出されたものである。ただし、上記の裏面シート３の切り出しが困難な場合は、それに代えて吸収体が存在していた部分（吸収体を除いたその部分）から切り出したものを用いても良い。次に、図８（ｄ）の断面図に示すように、裏面シート３が重ねあわされた試験片を、裏面シート３側から加圧手段３４により４０ｇ／ｃｍ２で１分間加圧して締結手段１１と裏面シート３を固定する。そして、図８（ｅ）の断面図に示すように、引張試験機３５で３００ｍｍ／ｍｉｎの剥離速度で固定された締結手段１１と裏面シート３の剥離力を測定し、最大荷重を固定強度（Ｎ／３０ｍｍ）とする。
【００２６】
また、締結手段１１の少なくとも一部は、弾性部材１３が配置されている位置の裏面シート３の外表面に設けられることが好ましい。この配置により、後述する図４に示されるように、締結手段１１と裏面シート３（図４においては裏面シート３ａ上に搭載されている支持体１９）とが固定されると、固定された部分に弾性部材１３の作用により剪断方向の力がかかり、締結手段１１と裏面シート３との固定強度が増加して、しっかり固定でき、装着中の動きに対して剥がれにくくなり、安定した固定状態を得ることができる。
【００２７】
図３は、締結手段１１が設けられた接合部８の一実施態様を示す概略断面図である。接合部は２枚の裏面シート３ａ、３ｂが熱融着された接合領域１７とそこから突き出た裏面シートの先部分３ｃ、３ｄとから構成されている。なお、融着前は、裏面シート３ａと３ｃとは連続した１連のシートを形成している。また、裏面シート３ｂと３ｄも融着前は１連のシートを形成している。また、図３で矢印１８は、突縁を形成する接合部の幅を示すものである。なお、図示のものでは、説明を簡明にするため、裏面シート３のみにより接合部を形成しているが、表面シート２、あるいは各弾性部材を含んで接合部を形成したものであっても良い。
【００２８】
締結手段１１は、前記パンツの他の外表面と着脱自在な手段であれば、特に限定されるものではなく、例えば、メカニカルファスナーのオス材、剥離紙付き粘着テープ、ボタン、ホックなどが挙げられ、メカニカルファスナーのオス材であることが好ましい。
【００２９】
ここで、メカニカルファスナーとは、表面に多数の突起状のオス型係合部が配置されてなるオス材と、表面にループ部、網状部等が配置されてなるメス材とからなり、オス材とメス材とを面接させることにより、両者が接合されるようになされている止着具をいう。
【００３０】
メカニカルファスナーとしては、各種公知のものを特に制限なく用いることができ、例えば「マジックテープ（登録商標）」（クラレ社製）、「クイックロン（登録商標）」（ＹＫＫ社製）、「マジクロス（登録商標）」（伸和社製）等を用いることができる。オス材のオス型係合部としては、その形状が、錨形や鉤形、キノコ形のもの等を挙げることができる。
【００３１】
メカニカルファスナーのオス材は、別に製造したオス型係合部を、接着剤、熱融着等の接合手段により外層シート表面に固定して得られたものでも、外層シートとオス型係合部とを一体成形したものであっても良い。
【００３２】
メカニカルファスナーのメス材は、例えば、基材シート（樹脂、紙、不織布製シート等）に、合成繊維等を多数のループ部が形成されるように固定して形成したもの等を用いることができるが、上記の裏面シートの外層不織布をそのままメス材として用いることもできる。
【００３３】
メス材として不織布を用いる場合の不織布としては、エアスルー不織布、スパンボンド不織布、ヒートロール不織布、ケミカルボンド不織布等を用いることができるが、特に、嵩高で繊維の自由度の高い不織布であるエアスルー不織布を用いることが好ましい。また、不織布を構成する繊維としては、短繊維ステープルファイバー、長繊維フィラメント等を用いることができる。また、芯鞘型やサイド・バイ・サイド型の複合繊維等を用いることもできる。該繊維を構成材料としては、各種熱可塑性樹脂を用いることができる。
【００３４】
特に、上記不織布の主たる構成繊維として、芯鞘型の複合繊維を用いることが好ましく、とりわけ同系列の樹脂成分からなる芯鞘型の複合繊維を用いることが好ましい。本明細書において、同系列の樹脂成分とは、鞘成分および芯成分それぞれを構成する樹脂成分の化学的構造が互いに類似（即ち、主たる化学的構造が一致）しており、相溶性の良い二種の樹脂または樹脂混合物を意味する。この場合、芯成分と鞘成分との界面強度が上記接合点強度より大きいことが望ましい。上記不織布が２種以上の繊維にて構成されている場合には、主たる構成繊維が斯かる同系列の樹脂成分からなる芯鞘型の複合繊維であることが好ましく、特に該複合繊維の割合が５０重量％以上であることが好ましい。
芯成分と鞘成分との具体的な組み合わせとしては、芯成分としてポリプロピレン（ＰＰ）を用い、鞘成分として低融点ＰＰを用いる組み合わせ、芯成分としてポリエチレンテレフタレート（ＰＥＴ）を用い、鞘成分として低融点ＰＥＴを用いた組み合わせ等が挙げられる。
【００３５】
また、本発明で用いられる締結手段１１は、図４の断面図に示されるように上記メカニカルファスナーが当接される部位に、別のメス材となるループ系材料からなる支持体１９を設置し、該メスの支持体と上記メカニカルファスナーの支持体（雄型係止部材）とが係止するようにしてもよい。なお、図４に示した構成部材もしくは領域のうちで図３に既に示したものについては、図３で用いた参照符号と同じ参照符号を付してその説明を省略する。
本発明においては、パンツ型おむつ１のウエストパンツおよびサイドフラップにおける外層不織布の表面にループ系材料が形成されていることが、メカニカルファスナーのオス材と締結された際に、係止状態が特に良好なものとなるので好ましい。
【００３６】
図５は、締結手段１１が設けられた接合部８の別の実施態様を示す概略断面図である。なお、図５に示す参照符号は、図３で用いた参照符号と同じ参照符号と同じ意味である。図５においては、締結手段１１の全体が、接合領域１７及びそこから突き出た裏面シート３ｄの接合部８の表面に設けられている。図５に示す実施態様においても、接合部８近傍のパンツの本体を折り返すことにより、締結手段１１と、それと締結可能な裏面シートもしくは締結可能な部材を別途搭載した裏面シートとを剥離可能に接合することがでる。
【００３７】
本実施形態のパンツ型おむつ１の装着方法は特に制限されないが、好ましい装着方法の一例を概略側面図である説明図６及び７を参照して以下に説明する。通常のパンツ型おむつと同様に、レッグ開口部８に、装着者の足２１を通したら、側面図の図６に示すように、着用者２０のウエストまでおむつ１を引き上げる。このとき、締結手段１１は、サイド接合部８の背側近傍に存在する。次に、図７の側面図に示すように、装着者のウエストおよび足のサイズに合わせ締結部材１１を含むウエスト開口部９近傍、およびレッグ開口部１０近傍の領域のおむつ本体をそれぞれ、摘んで軽く引っ張る感じで折り返し、締結部材１１を他の外表面に押し付けるように接合させ、ウエスト開口サイズおよびレッグ開口サイズを調節し、固定する。なお、図６および７で、２２は装着者の背側、２３は装着者の腹側をそれぞれ表す。
【００３８】
上記のように本発明のパンツ型おむつ１では、ウエスト開口部９近傍、およびレッグ開口部１０近傍にそれぞれ締結手段１１が設けられているので、ウエスト開口サイズおよびレッグ開口サイズをそれぞれ独立に調整して、装着者にフィットさせることができ、排泄物等の漏れを的確に防止することができる。
【００３９】
また、長期の寝たきりの人は、胴回りのサイズはあまり変化しないが、足回りのサイズが徐々に細くなっていく傾向がある。また、ある種の病気の患者においては、足回りのサイズはあまり変化しないが、胴回りのサイズが徐々に太くなっていく場合がある。このような場合、従来は、レッグおよびウエストともに良好にフィットさせるには、同一のサイズのパンツ型おむつを使用していると限界が存在したが、本発明のパンツ型おむつ１は、装着者のサイズの変化に対応して開口サイズを調節できるので、１つの製品サイズのおむつを締結手段を外装に固定するという簡単な作業により、長期に渡って良好に着装者の胴および足にフィットした状態で使用することができる。
【００４０】
パンツ型おむつ１は、上述の如く構成されているので、使用後においては、締結手段１１を固定されていたおむつの他の外表面部から剥離させた後、サイド接合部８を引き剥がして、装着者から取り外し、おむつを丸めた状態にして、接合部材１１とおむつ１の外装表面を改めて、固定することにより、おむつを容易且つ衛生的に廃棄することができる。
【００４１】
このような技術的効果を奏するパンツ型おむつ１は、上述の締結部材１１を設ける以外は、例えば従来のパンツ型おむつと同様の構成を採用することができる。したがって、既存の製造設備に所望の変更を加えるだけで、機械的に一連の製造工程で製造することが可能である。
【００４２】
このように、パンツ型おむつ１の製造にあたっては、新たな原材料を用いる必要がほとんどなく、かつ既存の製造設備に、上記の締結手段１１設けるための変更を加えるだけでよいので、原材料費の増加や新たな設備投資を抑えることが容易である。
【００４３】
以上、本発明のパンツ型おむつに係る実施形態について説明したが、本発明では、これらの実施形態で例示したパンツ型おむつ１に種々の変更、改良、組み合わせ等を施すことが可能である。また、吸収体を用いない、例えば、旅行用のペーパーパンツや、エステサロン等で使用されるペーパーショーツ等においても、上記の両側部のウエスト開口部近傍およびレッグ開口部近傍の外表面に、前記パンツの他の外表面と着脱自在な手段を設けることにより、同様に、接合部の剥がれや裂けなどを防止し、かつ、サイド部を折り返して、着用者のウエスト回りのサイズおよび足回りのサイズに合わせて、自由にサイズを容易に調節でき、ウエスト部及びレッグ部のフィット性をより向上させることができる。
【図面の簡単な説明】
【００４４】
【図１】本発明の好ましい一実施形態としてのパンツ型おむつの裏側（背側）の構造を概略的に示す斜視図である。
【図２】図１の使い捨ておむつの展開且つ伸長状態における外形形状を説明するための平面図である。
【図３】本発明における接合部の一実施態様を示す概略断面図である。
【図４】本発明における接合部の締結状態の一実施態様を示す概略断面図である。
【図５】本発明における接合部の別の実施態様を示す概略断面図である。
【図６】図１の使い捨ておむつを折り返す前の着用状態を示す説明図である。
【図７】図１の使い捨ておむつを折り返した後の着用状態を示す説明図である。
【図８】締結手段と裏面シートとの固定強度の測定方法の説明図である。
【符号の説明】
【００４５】
１  パンツ型おむつ
２  表面シート
３、３ａ、３ｂ、３ｃ、３ｄ  裏面シート
４  吸収体
５  腹側部
６  背側部
８  サイド接合部
９  ウエスト開口部
１０  レッグ開口部
１１  締結手段
１３  ウエスト弾性部材
１４  レッグ弾性部材
１７  接合領域
１８  突縁状接合部の幅
１９  ループ系材料からなる支持体
２１  装着者の足
２２  装着者背側
２３  装着者腹側
３２  掴み代部分
３４  加圧手段
３５  引張試験機
【図１】
2008142357.tif 000003
【図２】
2008142357.tif 000004
【図３】
2008142357.tif 000005
【図４】
2008142357.tif 000006
【図５】
2008142357.tif 000007
【図６】
2008142357.tif 000008
【図７】
2008142357.tif 000009
【図８】
2008142357.tif 000010